(57)【要約】【課題】簡単で貼付不備の起こらないカバーフィルムの貼付を提供する。【解決手段】切断用刃具と貼付用押具を連動する一体の器具とし、インクカートリッジの供給口貼付部を前記刃具の受け部として使用し、インクカートリッジ供給口貼付部にて刃具による切断と押具による貼り付けを同時に行う。【選択図】    図４
2005335350.tif 000002
【特許請求の範囲】
【請求項１】
インクジェットプリンタに使用するインクカートリッジ本体に設けられたインク供給口を保護するための第１のフィルムまたは大気連通を封止するための第２のフィルムを切断、貼付を行う方法であって、フィルム部材を前記インクカートリッジ本体上で切断し貼付を同時に行うことを特徴とするインクカートリッジのフィルム貼付方法。
【請求項２】
前記フィルム部材が切断前においてリールに巻回されており、前記インクカートリッジ本体上にて切断し貼付を同時に行い切断後の廃材を巻き取ることを特徴とする請求項１記載のインクカートリッジのフィルム貼付方法。
【請求項３】
前記フィルム部材を刃具にて前記カートリッジ本体を使用し切断し同時に接着，溶着，貼着のいずかによって固着することを特徴とする請求項１または２記載のインクカートリッジのフィルム貼付方法。
【請求項４】
インクジェットヘッドにインクを供給するインクカートリッジにおいて、
請求項１乃至３によって貼付された前記フィルムを有していることを特徴とするインクカートリッジ。
【請求項５】
前記インクカートリッジ本体は、前記刃具が当接する部分をリブを有していることを特徴とする請求項４記載のインクカートリッジ。
【発明の詳細な説明】
【技術分野】
【０００１】
本発明は、記録装置用の印刷ヘッドにインクを供給するためのインクカートリッジにおけるフィルム貼付方法に関する。
【背景技術】
【０００２】
インクジェットプリンタの印刷ヘッドは、インク供給流路を介してインクカートリッジに接続され、インクカートリッジからインクの供給が受けられるように構成されている。具体的に言うと、印刷ヘッドにはインク供給流路と連通した中空の針が設けられており、インクカートリッジにはその中空の針を通じて印刷ヘッドにインクを供給するためのインク供給口が設けられている。インク供給口は、インクカートリッジ内のインクが乾燥したり漏出したりすることを防ぐために薄膜状のフィルムでシールされている。
【０００３】
又インク注入もしくはインクカートリッジ内を減圧状態にするために使用する穴に対してインク注入もしくは減圧処理終了後に大気連通防止用のフィルムでシールされている。
この構成の下で、大気連通口のフィルムを剥ぎ取り、インクカートリッジをインクジェットプリンタのインクカートリッジ取り付け部に完全に装着すると、中空の針が供給口部フィルムを破ってインク供給口に挿入され、インクカートリッジ内のインクが中空針を介して印刷ヘッドに供給されるようになっている。
【発明の開示】
【発明が解決しようとする課題】
【０００４】
インクカートリッジの製造工程において、前記カバーフィルムにて、切断用刃具にてフィルムを切断し、その後、貼付用の押具にてインクカートリッジ上に移動し貼り付けを行っている。さらにカバーフィルムは非常に薄いため一連の貼付工程にてフィルムの曲がり等による貼付不備が起こらないよう注意を払う必要があった。
【０００５】
本発明は、このような複雑で難易度の高いカバーフィルムの貼付方法に対し、簡単で貼付不備の起こらないカバーフィルムの貼付方法を提供するものである。
【課題を解決するための手段】
【０００６】
上記目的を達成するためになされた本発明は、インクジェットプリンタに使用するインクカートリッジ本体に設けられたインク供給口を保護するための第１のフィルムまたは大気連通を封止するための第２のフィルムを切断、貼付を行う方法であって、フィルム部材を前記インクカートリッジ本体上で切断し貼付を同時に行うことを特徴とする。
【発明の効果】
【０００７】
本発明の貼付方法によれば、簡単で貼付不備の起こらないカバーフィルムの貼付をすることができるという効果を奏する。
【発明を実施するための最良の形態】
【０００８】
以下に、図面を参照して、本発明を適用したインクカートリッジの実施例を説明する。なお、以下の実施例はインクジェットプリンタのタンク装着部に対して貼付を行った実施例であるがインク注入口および大気連通口等のインクカートリッジに貼付を行うフィルムに対しても同様に適用可能である。
（全体構成）
図１（ａ）および（ｂ）は本発明を適用したフォーム式のインクカートリッジを示す平面図および正面図であり、図２は当該インクカートリッジを底面側から見た場合の斜視図であり、図３はインクカートリッジの分解斜視図であり、図４はインクカートリッジおよび当該刃具押具一部断面斜視図でり、図５はインクカートリッジと刃具押具の分解拡大図であり、図６（ａ）（ｂ）は該当刃具押具に対応したインクカートリッジのカバーフィルム貼付部の一部断面図である。
【０００９】
本例のインクカートリッジ１は、インクジェットプリンタ（図示せず）に形成されているタンク装着部（図示せず）に対して着脱可能に装着して使用される。このインクカートリッジ１は、上側が開口した直方体の容器本体２と、この上側開口３を封鎖している容器蓋４とを有し、これらの内部に主インク室５が形成され、ここに、インクが吸収保持された全体として直方体形状のフォーム６が収納されている。
【００１０】
容器本体２の底面にはインク取出し口７が形成されており、このインク取出し口７には円盤状のゴムパッキン８が装着されており、その中心に開けた貫通孔８ａがインク取出し孔とされている。インク取出し口７におけるゴムパッキン８よりも奥の部分には、インク取出し孔８ａを封鎖可能な弁９が配置されており、この弁９は常にコイルばね１０によってゴムパッキン８に押し付けられ、インク取出し孔８ａを封鎖している。又インク取り出し口には供給口保護フィルム１６が貼り付けられている。
【００１１】
インクカートリッジ１には、当該インクカートリッジ１がインクジェットプリンタのタンク装着部に装着されたか否かを光学的に検出するために用いる直角プリズムおよび、インクカートリッジ１のインクエンドを光学的に検出するために用いる直角プリズムを備えた被検出部５４が配置されている。
【００１２】
主インク室５は、第１のフィルタ１１および第２のフィルタ１２によって仕切られている副インク室（図示せず）を介してインク取出し孔８ａに連通している。また、容器蓋４に形成されたインク注入口１３よりインク注入され、シールフィルム１４にて大気と遮断されている。さらに大気連通口１７に剥ぎ取りフィルム１５を貼付大気と遮断している。
【００１３】
使用時には、剥ぎ取りフィルム１５を剥がすことにより、大気連通孔１７が大気開放状態になる。従って、主インク室５に装着したフォーム６に吸収保持されているインクが、インク取出し孔８ａを介して吸引されると、吸引されたインクに対応する分の空気が、大気連通口１７から主インク室５に入り込む。
【００１４】
また、インクカートリッジ１をインクジェットプリンタのタンク装着部に装着するとタンク装着部に取り付けられているインク供給針（図示せず）がカバーフィルム１６を破って当該インク取出し孔８ａに差し込まれて、当該インクカートリッジ１が装着状態になる。
【００１５】
フィルム１８貼付時には貼付用の押具２３をシール部材に押し付ける事により予め押具に組み込まれた刃具２１によりシール部材２３はシール部材より切断される。このとき刃具に適当な荷重を与えるためのゴム等の弾性体２２により切断に適切な荷重を得る。
【００１６】
切断時に刃具２１は押具２３と弾性体２２によりインクカートリッジに若干量くい込ませることにより切断を確実に行うことが出来る。
【００１７】
前記刃具のくい込みによる強度補強策としてインクカートリッジの貼付部の刃具の当たり面を予めリブ形状３１により補強することによりくい込みに対してはまったく問題なく使用できる。又リブ形状３１が不可能な場合はケース裏面にリブ形状３１と同等のリブ３２を形成することにより対応できる。
【図面の簡単な説明】
【００１８】
【図１】（ａ）および（ｂ）は本発明を適用したフォーム式のインクカートリッジの実施例を示す平面図および正面図である。
【図２】図１のインクカートリッジを底面側から見た場合の斜視図である。
【図３】図１のインクカートリッジの分解斜視図である
【図４】本発明実施形態の刃具押具の一部断面斜視図である。
【図５】本発明実施形態の刃具押具のとインクカートリッジの断面図である。
【図６】（ａ）および（ｂ）本発明の刃具に対するケース補強の断面図である。
【符号の説明】
【００１９】
１…インクカートリッジ、２…容器本体、３…容器本体の上側開口、４…容器蓋、５…主インク室、６…フォーム、７…インク取出し部、８…ゴムパッキン、８ａ…インク取出し孔、９…弁、１０…コイルばね、１１…第１のフィルタ、１２…第２のフィルタ、１３…インク注入口、１４…シールフィルム、１５…剥ぎ取りフィルム、１６…カバーフィルム、１７…大気連通口、２１…刃具、２２…弾性体、２３…押具、３１…補強リブ形状、３２…補強リブ形状、５４…プリズム。
【図１】
2005335350.tif 000003
【図２】
2005335350.tif 000004
【図３】
2005335350.tif 000005
【図４】
2005335350.tif 000006
【図５】
2005335350.tif 000007
【図６】
2005335350.tif 000008